(57)【要約】  本発明の実施形態に係る光学フィルムの切断位置決定方法は、長く延びた光学フィルムを、長手方向に間隔をおいて幅方向に沿って切断して複数の光学フィルムシート片を形成するための上記光学フィルムの切断位置を決定する方法であって、（ａ）上記光学フィルムの欠陥位置を上記光学フィルムの長手方向を基準として予め情報化するステップと、（ｂ）上記光学フィルムの長手方向への正常切断間隔条件および最小切断間隔条件と、上記光学フィルムの欠陥位置情報とに基づき、上記光学フィルムの全領域を複数の上記切断位置を導出するための複数の大区間計算領域に区分するステップと、（ｃ）上記複数の大区間計算領域のうち、上記光学フィルムの長手方向の順に上記切断位置がすべて決定されていない領域から上記切断位置を決定するステップと、を含むことができる。
2021528687.tif 000002
【特許請求の範囲】
【請求項１】
長く延びた光学フィルムを、長手方向に間隔をおいて幅方向に沿って切断して複数の光学フィルムシート片を形成するための前記光学フィルムの切断位置を決定する方法であって、
（ａ）前記光学フィルムの欠陥位置を前記光学フィルムの長手方向を基準として予め情報化するステップと、
（ｂ）前記光学フィルムの長手方向への正常切断間隔条件および最小切断間隔条件と、前記光学フィルムの欠陥位置情報とに基づき、前記光学フィルムの全領域を複数の前記切断位置を導出するための複数の大区間計算領域に区分するステップと、
（ｃ）前記複数の大区間計算領域のうち、前記光学フィルムの長手方向の順に前記切断位置がすべて決定されていない領域から前記切断位置を決定するステップと、を含む、光学フィルムの切断位置決定方法。
【請求項２】
前記（ｂ）ステップは、
（ｂ−１）最初のセッティング位置および欠陥のいずれか１つと、そのいずれか１つと互いに隣接した欠陥との間の判断対象領域のうち、前記正常切断間隔が少なくとも１つ含まれ得る正常領域を前記切断位置を導出するための第１小区間計算領域に設定し、最初のセッティング位置および欠陥のいずれか１つと、そのいずれか１つと互いに隣接した欠陥との間の判断対象領域のうち、前記正常切断間隔が含まれ得ない不良領域が互いに連続している場合は、前記連続している不良領域をすべて含めて前記切断位置を導出するための第２小区間計算領域に設定するステップと、
（ｂ−２）前記（ｂ−１）ステップにより設定された前記小区間計算領域内に前記正常切断間隔が最大に含まれ得る正常切断最大数量を算出するステップと、
（ｂ−３）いずれか１つの小区間計算領域を含めてその後の小区間計算領域に対して、前記小区間計算領域の長さから前記正常切断間隔と前記正常切断最大数量との積を引いた後の残り（以下、小区間計算領域の残り）が、前記最小切断間隔より最初に小さい小区間計算領域までを大区間計算領域に区分するステップと、を含む、請求項１に記載の光学フィルムの切断位置決定方法。
【請求項３】
前記切断位置は、前記欠陥とは予め定めた最小隔離距離以上の隔離距離を維持するように決定され、
前記（ｂ−２）ステップにおいて、前記正常切断最大数量は、前記小区間計算領域の長さから前記最小隔離距離の２倍を引いた値を、前記正常切断間隔で割って算出される整数値である、請求項２に記載の光学フィルムの切断位置決定方法。
【請求項４】
前記（ｃ）ステップは、
前記大区間計算領域内の複数の小区間計算領域のうち、前記小区間計算領域の残りが小さい順に前記小区間計算領域を選択して前記小区間計算領域内での切断位置を決定する、請求項２または３に記載の光学フィルムの切断位置決定方法。
【請求項５】
前記（ｃ）ステップは、
（ｃ−１）前記光学フィルムの長手方向の順に前記選択された小区間計算領域、前の小区間計算領域および後の小区間計算領域の各小区間計算領域の残りと、前記最小切断間隔とに基づき、前記選択された小区間計算領域内での切断位置を決定するステップを含む、請求項４に記載の光学フィルムの切断位置決定方法。
【請求項６】
前記（ｃ）ステップは、
（ｃ−２）前記光学フィルムの長手方向の順に前記選択された小区間計算領域の前の小区間計算領域内での切断位置が決定されていれば、
前記前の小区間計算領域の小区間計算領域の残りの値から、前記選択された小区間計算領域と前記前の小区間計算領域との間の欠陥と前記前の小区間計算領域内での最後の切断位置との間の距離を差し引いた後の値を、前記前の小区間計算領域の残りに置き換えるステップを含み、
前記（ｃ−１）ステップは、前記（ｃ−２）ステップの後に行われる、請求項５に記載の光学フィルムの切断位置決定方法。
【請求項７】
前記（ｃ）ステップは、
（ｃ−３）前記光学フィルムの長手方向の順に前記選択された小区間計算領域の後の小区間計算領域内での切断位置が決定されていれば、
前記後の小区間計算領域の小区間計算領域の残りの値から、前記選択された小区間計算領域と前記後の小区間計算領域との間の欠陥と前記後の小区間計算領域内での最初の切断位置との間の距離を差し引いた後の値を、前記後の小区間計算領域の残りに置き替えるステップを含み、
前記（ｃ−１）ステップは、前記（ｃ−３）ステップの後に行われる、請求項５に記載の光学フィルムの切断位置決定方法。
【請求項８】
前記（ｃ）ステップは、
前記切断位置は、互いに隣接した前記切断位置の間の間隔が予め定めた最大切断間隔を超えないように決定され、
前記最大切断間隔は、前記正常切断間隔と同一である、請求項１〜７のいずれか一項に記載の光学フィルムの切断位置決定方法。
【発明の詳細な説明】
【技術分野】
【０００１】
本発明は、長く延びた光学フィルムを、長手方向に間隔をおいて幅方向に沿って切断して複数のシート片を形成するために、光学フィルムの切断位置を決定する方法に関する。
【背景技術】
【０００２】
ディスプレイユニットは、パネルの面上に偏光フィルム、位相差フィルム、輝度向上フィルム、および／または拡散フィルムなどを含む光学フィルムが付着することにより製造される。
【０００３】
これらの光学フィルムは、長く延びた原反状に製造され、巻取られてロール原反状に用意される。
【０００４】
ロール原反状の光学フィルムは長く解き出されて、予めパネルの大きさに対応するように、長手方向に間隔をおいて幅方向に沿って伝達され、互いに分離可能な複数の光学フィルムシート片として用意される。このような光学フィルムの複数のシート片は、バラでディスプレイユニットを製造するための光学フィルム付着システムに供給されてパネルに付着することができる。
【０００５】
他の例として、光学フィルムは、複数のシート片に予め切断されず、光学フィルム付着システムにキャリアフィルムと共に積層された原反状に供給され、長く解き出されて搬送されてもよいし、搬送中に光学フィルムは切断するもののキャリアフィルムは切断しないハーフカッティング（ｈａｌｆ−ｃｕｔｔｉｎｇ）により、キャリアフィルム上に複数の光学フィルムシート片が連続して並ぶ形態でパネルに供給される。
【０００６】
光学フィルムは長手方向に予め定めた間隔をおいて幅方向に沿って切断されるが、一般的に、切断間隔はパネルの幅または長さに対応するように決定可能である。
【０００７】
一方、光学フィルムは製造に際して、異物、気泡などの流入、スクラッチおよび変形などの損傷によって欠陥が形成されることがある。この場合、光学フィルムの切断位置は、欠陥を排除し、且つ原反の損失を最小化するように決定される必要がある。
【０００８】
一般的に、欠陥を排除するための光学フィルムの切断位置は、正常切断間隔条件、最小切断間隔条件、最大切断間隔条件を満足するように決定可能である。
【０００９】
正常切断間隔条件は、欠陥を含まない光学フィルムの正常シート片を形成するための間隔条件を意味することができる。
【００１０】
光学フィルムの切断或いは光学フィルムの付着システムにおいて、光学フィルムのシート片が搬送ロールの間で引っかかったり離脱しないようにするためには、最小限の長さ或いは最大限の長さの間の長さを有することが好ましいが、最小切断間隔条件および最大切断間隔条件は、このような最小限の長さおよび最大限の長さを考慮して定められた条件であってよい。最大切断間隔は、正常切断間隔と同一の長さに決定可能である。
【００１１】
図１は、従来の光学フィルムの切断位置決定方法の一例の概略フローチャートであり、以下の手順によって光学フィルムの切断位置が決定される。
【００１２】
まず、長手方向に延びた光学フィルムは一方向に搬送され、この時、光学フィルムの所定の位置を初期切断位置に設定する。
【００１３】
そして、欠陥検出のための撮像装置によって、上記光学フィルム上に上記設定された切断位置から正常切断間隔のｎ倍（ここで、ｎは０より大きい整数）の距離まで欠陥があるか否かを確認する。
【００１４】
この後、上記設定された切断位置から正常切断間隔だけ離隔した位置までの領域に欠陥が含まれるか否かによって、以下のように新しい切断位置を決定し、光学フィルムを幅方向に沿って切断する。
【００１５】
もし、上記設定された切断位置から正常切断間隔だけ離隔した位置までの領域に欠陥が含まれていなければ、上記設定された切断位置から正常切断間隔だけ離隔した位置を新しい切断位置に決定および新しい切断位置で光学フィルムを幅方向に沿って切断する。
【００１６】
これと異なり、上記設定された切断位置から正常切断間隔だけ離隔した位置までの領域に欠陥が含まれていれば、上記設定された切断位置から欠陥直後までの距離が最小切断間隔より大きいか否かを判断する。これによって、切断位置から欠陥直後までの距離が最小切断間隔より大きい場合、不良直後の位置を新しい切断位置に決定およびその新しい切断位置で光学フィルムを切断し、切断位置から欠陥直後までの距離が最小切断間隔より小さい場合、設定された切断位置から最小切断間隔だけ離隔した位置を新しい切断位置に決定およびその新しい切断位置で光学フィルムを切断する。
【００１７】
そして、新しい切断位置の後の光学フィルムの残りの長さが正常切断間隔以上であれば、設定された切断位置から正常切断間隔のｎ倍の距離まで欠陥があるか否かを確認するステップから、後の過程を繰り返すことができる。
【００１８】
図２は、複数の欠陥が形成された光学フィルムに対して、従来の光学フィルムの切断位置決定方法で切断する場合と、それと比較される最適化された切断位置の一例を比較して示す図である。
【００１９】
図２（ａ）は、従来の光学フィルムの切断位置決定方法で切断する場合の一例を示す場合であって、切断光学フィルムの長手方向に沿って正常切断間隔だけ繰り返し切断するが、欠陥が形成された場合は、欠陥直後の位置で切断し、正常切断間隔内に欠陥が隣接した場合は、後行する欠陥直後の位置で切断するようになる。ただし、正常切断間隔内に欠陥が隣接した場合において、先行する切断ラインと後行する欠陥直後との間の距離が正常切断間隔より大きく、且つ隣接した欠陥の間の距離が最小切断間隔以内であれば、先行する切断ライン直後の切断ラインは、まず、正常切断間隔だけ離隔した位置で切断し、その後の切断ラインはそれから最小切断間隔だけ離隔した位置で切断する。この場合、光学フィルムのＡ領域には計４枚の正常シート片（図２に示された光学フィルムベース）が形成される。
【００２０】
一方、図２（ｂ）は、図２（ａ）と比較される最適化された切断位置の一例を示す図であるが、光学フィルムのＡ領域に正常切断間隔が最大に入れるように、Ａ領域の上流に位置する欠陥Ｂ付近で欠陥Ｂ直後の位置で切断せずに下流にさらに離隔した位置で切断するならば、図２（ａ）場合よりも、Ａ領域でより多い正常シート片（図２に示された光学フィルムベースで計５枚）が形成される。
【００２１】
すなわち、正常切断間隔、最小切断間隔の他にも、欠陥と欠陥との間の領域に正常切断間隔がどれだけ入れるかも考慮して切断位置を決定する必要がある。
【００２２】
前述した背景技術は、発明者が本発明の実施例の導出のために保有していたり、導出過程で習得した技術情報であって、必ずしも本発明の実施例の出願の前に一般公衆に公開された公知技術であるとは限らない。
【発明の概要】
【発明が解決しようとする課題】
【００２３】
本発明の実施形態は、長く延びた光学フィルムを、長手方向に間隔をおいて幅方向に沿って切断して複数のシート片を形成するための光学フィルムの最適切断位置を決定できる光学フィルムの切断位置決定方法を提供しようとする。
【課題を解決するための手段】
【００２４】
本発明の実施形態に係る光学フィルムの切断位置決定方法は、長く延びた光学フィルムを、長手方向に間隔をおいて幅方向に沿って切断して複数の光学フィルムシート片を形成するための上記光学フィルムの切断位置を決定する方法であって、（ａ）上記光学フィルムの欠陥位置を上記光学フィルムの長手方向を基準として予め情報化するステップと、（ｂ）上記光学フィルムの長手方向への正常切断間隔条件および最小切断間隔条件と、上記光学フィルムの欠陥位置情報とに基づき、上記光学フィルムの全領域を複数の上記切断位置を導出するための複数の大区間計算領域に区分するステップと、（ｃ）上記複数の大区間計算領域のうち、上記光学フィルムの長手方向の順に上記切断位置がすべて決定されていない領域から上記切断位置を決定するステップと、を含むことができる。
【発明の効果】
【００２５】
本発明の実施形態によれば、欠陥と欠陥との間の領域が連続して並ぶ複数の領域を一度に切断位置を決定するための大区間計算領域に設定することにより、その大区間計算領域内で欠陥が含まれていない正常シート片を最大に導出できるという利点がある。
【図面の簡単な説明】
【００２６】
【図１】従来の光学フィルムの切断位置決定方法の一例の概略フローチャートである。
【図２】複数の欠陥が形成された光学フィルムに対して、従来の光学フィルムの切断位置決定方法で切断する場合と、それと比較される最適化された切断位置の一例を比較して示す図である。
【図３】本発明の一実施形態に係る光学フィルムの切断位置決定方法のフローチャートである。
【図４】本発明の一実施形態に係る光学フィルムの切断位置決定方法を適用するための光学フィルムの一例を概略的に示す図である。
【図５】本発明の一実施形態に係る光学フィルムの切断位置決定方法を適用するための光学フィルムの他の例を概略的に示す図である。
【図６】本発明の一実施形態に係る光学フィルムの切断位置決定方法の詳細なフローチャートである。
【発明を実施するための形態】
【００２７】
本発明の実施形態に係る光学フィルムの切断位置決定方法は、長く延びた光学フィルムを、長手方向に間隔をおいて幅方向に沿って切断して複数の光学フィルムシート片を形成するための上記光学フィルムの切断位置を決定する方法であって、（ａ）上記光学フィルムの欠陥位置を上記光学フィルムの長手方向を基準として予め情報化するステップと、（ｂ）上記光学フィルムの長手方向への正常切断間隔条件および最小切断間隔条件と、上記光学フィルムの欠陥位置情報とに基づき、上記光学フィルムの全領域を複数の上記切断位置を導出するための複数の大区間計算領域に区分するステップと、（ｃ）上記複数の大区間計算領域のうち、上記光学フィルムの長手方向の順に上記切断位置がすべて決定されていない領域から上記切断位置を決定するステップと、を含むことができる。
【００２８】
本実施形態において、上記（ｂ）ステップは、（ｂ−１）最初のセッティング位置および欠陥のいずれか１つと、そのいずれか１つと互いに隣接した欠陥との間の判断対象領域のうち、上記正常切断間隔が少なくとも１つ含まれ得る正常領域を上記切断位置を導出するための第１小区間計算領域に設定し、最初のセッティング位置および欠陥のいずれか１つと、そのいずれか１つと互いに隣接した欠陥との間の判断対象領域のうち、上記正常切断間隔が含まれ得ない不良領域が互いに連続している場合は、上記連続している不良領域をすべて含めて上記切断位置を導出するための第２小区間計算領域に設定するステップと、（ｂ−２）上記（ｂ−１）ステップにより設定された上記小区間計算領域内に上記正常切断間隔が最大に含まれ得る正常切断最大数量を算出するステップと、（ｂ−３）いずれか１つの小区間計算領域を含めてその後の小区間計算領域に対して、上記小区間計算領域の長さから上記正常切断間隔と上記正常切断最大数量との積を引いた後の残り（以下、小区間計算領域の残り）が、上記最小切断間隔より最初に小さい小区間計算領域までを大区間計算領域に区分するステップと、を含むことができる。
【００２９】
本実施形態において、上記切断位置は、上記欠陥とは予め定めた最小隔離距離以上の隔離距離を維持するように決定され、上記（ｂ−２）ステップにおいて、上記正常切断最大数量は、上記小区間計算領域の長さから上記最小隔離距離の２倍を引いた値を、上記正常切断間隔で割って算出される整数値であることが好ましい。
【００３０】
本実施形態において、上記（ｃ）ステップは、上記大区間計算領域内の複数の小区間計算領域のうち、上記小区間計算領域の残りが小さい順に上記小区間計算領域を選択して上記小区間計算領域内での切断位置を決定することができる。
【００３１】
本実施形態において、上記（ｃ）ステップは、（ｃ−１）上記光学フィルムの長手方向の順に上記選択された小区間計算領域、前の小区間計算領域および後の小区間計算領域の各小区間計算領域の残りと、上記最小切断間隔とに基づき、上記選択された小区間計算領域内での切断位置を決定するステップを含むことができる。
【００３２】
本実施形態において、上記（ｃ）ステップは、（ｃ−２）上記光学フィルムの長手方向の順に上記選択された小区間計算領域の前の小区間計算領域内での切断位置が決定されていれば、上記前の小区間計算領域の小区間計算領域の残りの値から、上記選択された小区間計算領域と上記前の小区間計算領域との間の欠陥と上記前の小区間計算領域内での最後の切断位置との間の距離を差し引いた後の値を、上記前の小区間計算領域の残りに置き替えるステップを含み、上記（ｃ−１）ステップは、上記（ｃ−２）ステップの後に行われる。
【００３３】
本実施形態において、上記（ｃ）ステップは、（ｃ−３）上記光学フィルムの長手方向の順に上記選択された小区間計算領域の後の小区間計算領域内での切断位置が決定されていれば、上記後の小区間計算領域の小区間計算領域の残りの値から、上記選択された小区間計算領域と上記後の小区間計算領域との間の欠陥と上記後の小区間計算領域内での最初の切断位置との間の距離を差し引いた後の値を、上記後の小区間計算領域の残りに置き換えるステップを含み、上記（ｃ−１）ステップは、上記（ｃ−３）ステップの後に行われることが好ましい。
【００３４】
本実施形態において、上記（ｃ）ステップは、上記切断位置は、互いに隣接した上記切断位置の間の間隔が予め定めた最大切断間隔を超えないように決定され、上記最大切断間隔は、上記正常切断間隔と同一であることが好ましい。
【実施例】
【００３５】
本発明は、添付した図面とともに詳細に後述する実施例を参照すれば明確になるであろう。しかし、本発明は、以下に開示される実施例に限定されるものではなく、互いに異なる多様な形態で実現可能であり、単に本実施例は本発明の開示が完全になるようにし、本発明の属する技術分野における通常の知識を有する者に発明の範疇を完全に知らせるために提供されるものであり、本発明は請求項の範疇によって定義される。一方、本明細書で使われた用語は実施例を説明するためのものであり、本発明を制限しようとするものではない。本明細書において、単数形は、文章で特に言及しない限り、複数形も含む。明細書で使われる「含む（ｃｏｍｐｒｉｓｅｓ）」および／または「含んでいる（ｃｏｍｐｒｉｓｉｎｇ）」は、言及された構成要素、段階、動作および／または素子は、１つ以上の他の構成要素、段階、動作および／または素子の存在または追加を排除しない。第１、第２などの用語は、多様な構成要素を説明するのに使われるが、構成要素は用語によって限定されてはならない。用語は、１つの構成要素を他の構成要素から区別する目的でのみ使われる。
【００３６】
以下、添付した図面を参照して、本発明を詳細に説明する。
【００３７】
図３は、本発明の一実施形態に係る光学フィルムの切断位置決定方法のフローチャートであり、図４は、本発明の一実施形態に係る光学フィルムの切断位置決定方法を適用するための光学フィルムの一例を概略的に示す図である。
【００３８】
本発明の一実施形態に係る光学フィルムの切断位置決定方法は、長く延びた光学フィルムを、長手方向に間隔をおいて幅方向に沿って切断して複数の光学フィルムシート片を形成するための光学フィルムの切断位置を決定する方法に関する。
【００３９】
このような光学フィルムの切断位置決定方法１０００は、（ａ）光学フィルムの欠陥位置を光学フィルムの長手方向を基準として予め情報化するステップ（欠陥位置情報化ステップ、Ｓ１００）と、（ｂ）光学フィルムの長手方向への正常切断間隔条件および最小切断間隔条件と、光学フィルムの欠陥位置情報とに基づき、光学フィルムの全領域を複数の切断位置を導出するための複数の大区間計算領域に区分するステップ（光学フィルムの全領域を複数の大区間計算領域に区分するステップ、Ｓ２００）と、（ｃ）複数の大区間計算領域のうち、光学フィルムの長手方向の順に切断位置がすべて決定されていない領域から切断位置を決定するステップ（切断位置決定ステップ、Ｓ３００）と、を含むことができる。光学フィルムの切断位置決定方法１０００は、少なくとも１つの情報処理装置によって行われる。
【００４０】
（ａ）ステップＳ３００は、光学フィルムＦの長手方向（図４参照、ｘ軸方向）を基準に所定の位置を起点（ｘ０）として、光学フィルムＦの欠陥（図４参照、ｄｅｆｅｃｔ  １〜ｄｅｆｅｃｔ  ６）位置を上記起点（ｘ０）に対する相対的な位置（ｘ１〜ｘ６）として予め情報化する。ここで、情報化とは、光学フィルムの欠陥位置を上記起点に対する相対的な位置の座標として算出することを意味し、このような座標情報は、情報処理装置によって識別および加工できるデータとしてデータベースに格納されるか、読取機によって識別できるコードとして光学フィルムにインクまたはレーザなどによってマーキングされて別途標識される。
【００４１】
（ｂ）ステップＳ２００は、光学フィルムの長手方向への正常切断間隔条件および最小切断間隔条件と、光学フィルムの欠陥位置情報とに基づき、光学フィルムの全領域を複数の切断位置を導出するための複数の大区間計算領域に区分することができる。正常切断間隔（ｄｎ）条件は、欠陥を含まない光学フィルムの正常シート片を形成するための間隔に基づいて決定可能である。光学フィルムの正常シート片はパネルに付着するので、正常切断間隔（ｄｎ）条件は、パネルの長さまたは幅に対応するように決定可能である。最小切断間隔（ｄｍｉｎ）条件は、光学フィルムの切断或いは光学フィルムの付着システムにおいて、光学フィルムシート片を搬送するための搬送ロールの間で光学フィルムシート片が引っかかったり離脱しないようにするために必要な最小限の長さを考慮して決定可能である。
【００４２】
上記（ｂ）ステップＳ２００は、（ｂ−１）光学フィルムの全領域を複数の小区間計算領域に区分設定するステップと、（ｂ−２）小区間計算領域内の正常切断最大数量を算出するステップと、（ｂ−３）いずれか１つの小区間計算領域を含めて所定の小区間計算領域までを大区間計算領域に区分設定するステップと、を含むことができる。以下、上記（ｂ−１）ステップ、（ｂ−２）ステップおよび（ｂ−３）ステップを詳細に説明する。
【００４３】
上記（ｂ−１）ステップは、最初のセッティング位置（ｘ０＋ｄｍｉｎ）および欠陥（ｄｅｆｅｃｔ  ｎ）のいずれか１つと、そのいずれか１つと互いに隣接した欠陥（ｄｅｆｅｃｔ  ｍ）との間の判断対象領域（ｘ０＋ｄｍｉｎ〜ｄｅｆｅｃｔ  ｍまたはｄｅｆｅｃｔ  ｎ〜ｄｅｆｅｃｔ  ｍ）のうち、上記正常切断間隔（ｄｎ）が少なくとも１つ含まれ得る正常領域を上記切断位置を導出するための第１小区間計算領域に設定することができる。そして、上記（ｂ−１）ステップは、最初のセッティング位置（ｘ０＋ｄｍｉｎ）および欠陥（ｄｅｆｅｃｔ  ｎ）のいずれか１つと、そのいずれか１つと互いに隣接した欠陥との間の判断対象領域のうち、上記正常切断間隔（ｄｎ）が含まれ得ない不良領域が互いに連続している場合は、上記連続している不良領域をすべて含めて上記切断位置を導出するための第２小区間計算領域に設定することができる。
【００４４】
ここで、最初のセッティング位置（ｘ０＋ｄｍｉｎ）は、例えば、光学フィルムの長手方向を基準に一端部または所定の位置を起点（ｘ０）とした後、この起点（ｘ０）から最小切断間隔（ｄｍｉｎ）だけ離隔した位置であってよい。もし、最初のセッティング位置（ｘ０＋ｄｍｉｎ）が起点（ｘ０）の後に最初に登場する欠陥（ｄｅｆｅｃｔ  １）より後の位置であれば、判断対象領域は、起点（ｘ０）の後に最初に登場する欠陥（ｄｅｆｅｃｔ  １）と、当該欠陥と互いに隣接した欠陥（ｄｅｆｅｃｔ  ２）との間の領域（ｄｅｆｅｃｔ  ２）であってよい。一方、判断対象領域内に正常切断間隔（ｄｎ）が少なくとも１つ含まれ得るならば、その判断対象領域は、第１小区間計算領域に設定することができる。同時に、最初のセッティング位置（ｘ０＋ｄｍｉｎ）および欠陥（ｄｅｆｅｃｔ  ｎ）のいずれか１つと、そのいずれか１つと互いに隣接した欠陥との間の判断対象領域のうち、上記正常切断間隔（ｄｎ）が含まれ得ない不良領域は、第２小区間計算領域に設定することができる。もし、このような不良領域が互いに連続している場合は、上記連続している不良領域をすべて含めて上記切断位置を導出するための第２小区間計算領域に設定することができる。例えば、図４に示された光学フィルムにおいて、第５欠陥（ｄｅｆｅｃｔ  ５）、第６欠陥（ｄｅｆｅｃｔ  ６）の間の判断領域（ｘ６−ｘ５）と、第６欠陥（ｘ６）、第７欠陥（ｘ７）の間の判断領域（ｘ７−ｘ６）は、いずれも正常切断間隔（ｄｎ）が含まれ得ない不良領域であり、当該不良領域は互いに連続しているため、当該不良領域を共に含めて第２小区間計算領域（Ｓ５）に設定することができる。
【００４５】
上記（ｂ−２）ステップは、上記（ｂ−１）ステップにより設定された上記第１および第２小区間計算領域（以下、「小区間計算領域」と称することがある）内に上記正常切断間隔（ｄｎ）が最大に含まれ得る正常切断最大数量を算出することができる。本実施形態において、上記切断位置は、上記欠陥（ｄｅｆｅｃｔ  ｎ、ｄｅｆｅｃｔ  ｍ）とは予め定めた最小隔離距離（α）以上の隔離距離を維持するように決定されることが好ましい。この場合、上記（ｂ−２）ステップにおいて、上記正常切断最大数量は、上記小区間計算領域の長さから上記最小隔離距離の２倍を引いた値を、上記正常切断間隔で割って算出される整数値であってよい。例えば、図４に示された光学フィルムにおいて、起点（ｘ０）側に最隣接した小区間計算領域（Ｓ１）内に正常切断間隔（ｄｎ）が最大に含まれ得る正常切断最大数量は、小区間計算領域（Ｓ１）の長さ（ｘ２−ｘ１）から最小隔離距離（α）の２倍（２α）を引いた値（ｘ２−ｘ１−２α）を、正常切断間隔（ｄｎ）で割って算出される整数値である、２であってよい。図４に示された光学フィルムを基準として、後の小区間計算領域（Ｓ２、Ｓ３、Ｓ４、Ｓ５）内の正常切断最大数量は、それぞれ１、３、１、０であってよい。
【００４６】
上記（ｂ−３）ステップは、いずれか１つの小区間計算領域を含めてその後の小区間計算領域に対して、上記小区間計算領域の長さから上記正常切断間隔と上記正常切断最大数量との積を引いた後の残り（以下、小区間計算領域の残り）が、上記最小切断間隔より最初に小さい小区間計算領域までを大区間計算領域に区分設定することができる。例えば、図４に示された光学フィルムを基準として、起点（ｘ０）側に最隣接した小区間計算領域（Ｓ１）を含めてその後の小区間計算領域（Ｓ２、Ｓ３、Ｓ４、Ｓ５．．．．）に対して、小区間計算領域の長さ（ｘ３−ｘ２、ｘ４−ｘ３、ｘ５−ｘ４、ｘ７−ｘ５）から正常切断間隔（ｄｎ）と正常切断最大数量（１、３、１、０）との積（１＊ｄｎ、３＊ｄｎ、１＊ｄｎ、０＊ｄｎ）を引いた後の小区間計算領域の残り（ｘ３−ｘ２−１＊ｄｎ、ｘ４−ｘ３−３＊ｄｎ、ｘ５−ｘ４−１＊ｄｎ、ｘ７−ｘ５−０＊ｄｎ）が、最小切断間隔（ｄｍｉｎ）より最初に小さい小区間計算領域（Ｓ４）までを大区間計算領域（Ｂ１）に区分設定することができる。
【００４７】
上記（ｃ）ステップＳ３００は、複数の大区間計算領域のうち、光学フィルムの長手方向の順に切断位置がすべて決定されていない領域から切断位置を決定することができる。例えば、図４に示された光学フィルムを基準として、複数の大区間計算領域（Ｂ１、Ｂ２、．．．．）のうち、起点（ｘ０）が隣接した側の大区間計算領域（Ｂ１）内で切断位置がすべて決定されていなければ、当該大区間計算領域（Ｂ１）から光学フィルムの長手方向の順（Ｂ２、．．．）に切断位置を決定することができる。
【００４８】
上記（Ｃ）ステップＳ３００は、上記大区間計算領域内の複数の小区間計算領域のうち、上記小区間計算領域の残りが小さい順に上記小区間計算領域を選択して上記小区間計算領域内での切断位置を決定することができる。例えば、図４に示された光学フィルムを基準として、起点（ｘ０）が隣接した側の大区間計算領域（Ｂ１）内の複数の小区間計算領域（Ｓ１、Ｓ２、Ｓ３、Ｓ４）のうち、小区間計算領域の残り（ｘ２−ｘ１−２＊ｄｎ、ｘ３−ｘ２−１＊ｄｎ、ｘ４−ｘ３−３＊ｄｎ、ｘ５−ｘ４−１＊ｄｎ）が小さい順（Ｓ４、Ｓ１、Ｓ３、Ｓ２）に小区間計算領域を選択して小区間計算領域内での切断位置を決定することができる。
【００４９】
上記（ｃ）ステップＳ３００は、（ｃ−１）光学フィルムの長手方向の順に上記選択された小区間計算領域、前の小区間計算領域および後の小区間計算領域の各小区間計算領域の残りと、上記最小切断間隔とに基づき、上記選択された小区間計算領域内での切断位置を決定するステップを含むことができる。一方、上記選択された小区間計算領域が光学フィルム内で長手方向の順に最初に登場する小区間計算領域であれば、前の小区間計算領域が別途にないことがあるため、その場合は、最小切断間隔を前の小区間計算領域の小区間計算領域の残りに設定することができる。
【００５０】
図５は、本発明の一実施形態に係る光学フィルムの切断位置決定方法を適用するための光学フィルムの他の例を概略的に示す図である。
【００５１】
上記（ｃ−１）ステップは、まず、上記前の小区間計算領域の残り（Ｓａ＿Ｒ）と上記後の小区間計算領域の残り（Ｓｂ＿Ｒ）のうち小さい値（Ｓｍａｌｌ）を抽出する（ｃ−１１）。そして、上記選択された小区間計算領域の残り（Ｓｍ＿Ｒ）と上記小さい値（Ｓｍａｌｌ）との和（Ｓｍ＿Ｒ＋Ｓｍａｌｌ）と、最小切断間隔（ｄｍｉｎ）とを比較する（ｃ−１２）。上記（ｃ−１２）ステップにより「Ｓｍ＿Ｒ＋Ｓｍａｌｌ」が「ｄｍｉｎ」より大きければ、上記選択された小区間計算領域の残り（Ｓｍ＿Ｒ）および上記小さい値（Ｓｍａｌｌ）を、それぞれ最小切断間隔（ｄｍｉｎ）と比較する（ｃ−１３）。上記（ｃ−１３）ステップにより「Ｓｍ＿Ｒ」および「Ｓｍａｌｌ」がいずれも「ｄｍｉｎ」より小さければ、上記選択された小区間計算領域（Ｓｍ）と上記前の小区間計算領域（Ｓａ）との間の欠陥（ｄｅｆｅｃｔ  ｋ）から下流に最初に離隔させる最初の切断距離（Ｃｕｔ０ｓ）と、上記選択された小区間計算領域（Ｓｍ）と上記後の小区間計算領域（Ｓｂ）との間の欠陥（ｄｅｆｅｃｔ  ｌ）から上流に最後に離隔させる最後の切断距離（Ｃｕｔ０ｆ）は、最小切断間隔（ｄｍｉｎ）から上記小さい値（Ｓｍａｌｌ）を差し引いた値に設定する（ｃ−１４）。すなわち、上記選択された小区間計算領域（Ｓｍ）内での最初の切断位置は、上記欠陥（ｄｅｆｅｃｔ  ｋ）から下流に最初の切断距離（Ｃｕｔ０）だけ離隔した位置に設定し、最後の切断位置は、上記欠陥（ｄｅｆｅｃｔ  ｌ）から上流に最後の切断距離（Ｃｕｔ０ｆ）だけ離隔した位置に設定する。
【００５２】
一方、上記（ｃ−１３）ステップにより「Ｓｍ＿Ｒ」および「Ｓｍａｌｌ」の少なくとも１つが「ｄｍｉｎ」以上であれば、最初の切断距離（Ｃｕｔ０ｓ）および最後の切断距離（Ｃｕｔ０ｆ）は、上記選択された小区間計算領域（Ｓｍ）の小区間計算領域の残り（Ｓｍ＿Ｒ）の１／２に設定する（ｃ−１５）。この後、上記（ｃ−１４）ステップまたは（ｃ−１５）ステップにより設定された最初および最後の切断距離（Ｃｕｔ０ｓ、Ｃｕｔ０ｆ）と上記小さい値（Ｓｍａｌｌ）との和と、最小切断間隔（ｄｍｉｎ）とを比較する（ｃ−１６）。上記（ｃ−１６）ステップにより「Ｃｕｔ０ｓ＋Ｓｍａｌｌ」および「Ｃｕｔ０ｆ＋Ｓｍａｌｌ」が「ｄｍｉｎ」より小さければ、「Ｃｕ０ｓ＋Ｓａ＿Ｒ」および「Ｃｕｔ０ｆ＋Ｓｂ＿Ｒ」がいずれも最小切断間隔（ｄｍｉｎ）以上となるように「Ｃｕｔ０ｓ」および「Ｃｕｔ０ｆ」を調整し、調整不可であれば、「Ｃｕ０ｓ＋Ｓａ＿Ｒ」および「Ｃｕｔ０ｆ＋Ｓｂ＿Ｒ」のいずれか１つが最小切断間隔（ｄｍｉｎ）となるように「Ｃｕｔ０ｓ」および「Ｃｕｔ０ｆ」のうちの１つを調整する（ｃ−１７）。
【００５３】
一方、上記（ｃ−１２）ステップにより「Ｓｍ＿Ｒ＋Ｓｍａｌｌ」が「ｄｍｉｎ」以下であれば、上記前の小区間計算領域の残り（Ｓａ＿Ｒ）と、上記後の小区間計算領域の残り（Ｓｂ＿Ｒ）とを比較する（ｃ−１８）。上記（ｃ−１８）ステップにより「Ｓａ＿Ｒ」が「Ｓｂ＿Ｒ」より大きければ、最後切断距離（Ｃｕｔ０ｆ）は、上記選択された小区間計算領域の残り（Ｓｍ＿Ｒ）から最小隔離距離（α）を差し引いた値（Ｃｕｔ０ｆ＝Ｓｍ＿Ｒ−α）に設定する（ｃ−１９）。一方、上記（ｃ−１８）ステップにより「Ｓａ＿Ｒ」が「Ｓｂ＿Ｒ」以下であれば、最初の切断距離（Ｃｕｔ０ｓ）は、最小隔離距離（α）に設定する（Ｃｕｔ０ｓ＝α）（ｃ−２０）。
【００５４】
一方、上記（ｃ−１６）ステップにより「Ｃｕｔ０ｓ＋Ｓｍａｌｌ」および「Ｃｕｔ０ｆ＋Ｓｍａｌｌ」が「ｄｍｉｎ」以上であれば、「Ｃｕｔ０ｓ」および「Ｃｕｔ０ｆ」のいずれか１つ、上記（ｃ−１７）ステップにより「Ｃｕｔ０ｓ」および「Ｃｕｔ０ｆ」のうち最終的に調整されたいずれか１つ、上記（ｃ−１９）ステップにより設定された「Ｃｕｔ０ｆ」、上記（ｃ−２０）ステップにより設定された「Ｃｕｔ０ｓ」のいずれか１つによって定められる最初の切断位置または最後切断位置を基準として、上記選択された小区間計算領域（Ｓｍ）内で正常切断間隔だけ繰り返し離隔した位置が切断位置に決定される（ｃ−２１）。
【００５５】
上記（ｃ−２０）ステップおよび（ｃ−２１）ステップのいずれか１つによって決定された最初の切断距離（Ｃｕｔ０ｓ）および上記前の小区間計算領域（Ｓａ）の小区間計算領域の残り（Ｓａ＿Ｒ）の和（Ｃｕｔ０ｓ＋Ｓａ＿Ｒ）と、正常切断間隔（ｄｎ）とを比較する（ｃ−２２）。上記（ｃ−２２）ステップにより「Ｃｕｔ０ｓ＋Ｓａ＿Ｒ」が「ｄｎ」より大きければ、上記最初の切断位置と上記欠陥（ｄｅｆｅｃｔ  ｋ）から上流側に「Ｓａ＿Ｒ」だけ離隔した位置との間に追加的な切断位置を設定するが、上記欠陥（ｄｅｆｅｃｔ  ｋ）から上流側に「Ｓａ＿Ｒ」だけ離隔した位置から下流側に最小切断間隔（ｄｍｉｎ）だけ離隔した位置をその切断位置に設定する（ｃ−２２）。
【００５６】
上記（ｃ）ステップＳ３００は、（ｃ−２）上記光学フィルムの長手方向の順に上記選択された小区間計算領域（Ｓｍ）の前の小区間計算領域（Ｓａ）内での切断位置（前の小区間計算領域（Ｓａ）内で決定されるＣｕｔ０ｓ、Ｃｕｔ０ｆによって定められる切断位置）が決定されていれば、上記前の小区間計算領域の小区間計算領域の残り（Ｓａ＿Ｒ）の値から、上記選択された小区間計算領域（Ｓｍ）と上記前の小区間計算領域（Ｓａ）との間の欠陥（ｄｅｆｅｃｔ  ｋ）と上記前の小区間計算領域（Ｓａ）内での最後切断位置との間の距離（Ｃｕｔ０ｆ）を差し引いた後の値を、上記前の小区間計算領域の残りに置き替えるステップを含むことができる。この場合、上記（ｃ−１）ステップは、上記（ｃ−２）ステップの後に行われる。
【００５７】
上記（ｃ）ステップＳ３００は、（ｃ−３）上記光学フィルムの長手方向の順に上記選択された小区間計算領域（Ｓｍ）の後の小区間計算領域（Ｓｂ）内での切断位置（後の小区間計算領域（Ｓｂ）内で決定されるＣｕｔ０ｓ、Ｃｕｔ０ｆによって定められる切断位置）が決定されていれば、上記後の小区間計算領域の小区間計算領域の残り（Ｓｂ＿Ｒ）の値から、上記選択された小区間計算領域（Ｓｍ）と上記後の小区間計算領域（Ｓｂ）との間の欠陥（ｄｅｆｅｃｔ  ｌ）と上記後の小区間計算領域内での最初の切断位置との間の距離（Ｃｕｔ０ｓ）を差し引いた後の値を、上記後の小区間計算領域の残りに置き替えるステップを含むことができる。この場合、上記（ｃ−１）ステップは、上記（ｃ−３）ステップの後に行われる。
【００５８】
上記（ｃ）ステップＳ３００は、上記切断位置は、互いに隣接した上記切断位置の間の間隔が予め定めた最大切断間隔を超えないように決定され、上記最大切断間隔は、上記正常切断間隔と同一であることが好ましい。
【００５９】
図６は、本発明の一実施形態に係る光学フィルムの切断位置決定方法の詳細なフローチャートである。
【００６０】
本発明の実施形態によれば、欠陥と欠陥との間の領域が連続して並ぶ複数の領域を一度に切断位置を決定するための大区間計算領域に設定することにより、その大区間計算領域内で欠陥が含まれていない正常シート片を最大に導出できるという利点がある。
【００６１】
たとえ、本発明が上述した好ましい実施例に関して説明されたが、発明の要旨と範囲を逸脱することなく多様な修正や変形をすることが可能である。したがって、添付した特許請求の範囲には、本発明の要旨に属する限り、かかる修正や変形を含むであろう。
【符号の説明】
【００６２】
ｄｎ：正常切断間隔
ｄｍｉｎ：最小切断間隔
α：最小隔離距離
Ｂ：大区間計算領域
Ｓ：小区間計算領域
Ｓａ：前の小区間計算領域
Ｓｍ：選択された小区間計算領域
Ｓｂ：後の小区間計算領域
【図１】
2021528687.tif 000003
【図２】
2021528687.tif 000004
【図３】
2021528687.tif 000005
【図４】
2021528687.tif 000006
【図５】
2021528687.tif 000007
【図６】
2021528687.tif 000008
【国際調査報告】
2021528687.tif 000009
2021528687.tif 000010
2021528687.tif 000011
2021528687.tif 000012
2021528687.tif 000013
2021528687.tif 000014